(57)【特許請求の範囲】
【請求項１】
穀類粒を載置する透明底板を備えた試料皿と、
この試料皿を載置する透明窓部を上部に備え、内部が、正面側に向かって斜めに傾斜配置したシート材により上下分割状態に仕切られていて、前記透明窓部とシート材の間で、且つ、正面側の位置に下部照明手段である蛍光灯を配置した装置本体と、
この装置本体内に配置され、前記透明窓部、前記試料皿の透明底板を介して前記穀類粒に対し透過用の下部照明光を照射する下部照明手段と、
前記装置本体における透明窓部上の試料皿を表出又は包覆可能で、且つ、装置本体を開閉可能に施蓋するとともに、内部に前記試料皿上の穀類粒に対して反射用の上部照明光を照射する上部照明手段を備えた蓋体と、
を具備し、前記下部照明手段を使用しての試料皿上の穀類粒からの透過光の観察と、前記上部照明手段を使用しての試料皿上の穀類粒からの透過光の観察との双方を実行でき、米粒は勿論、籾類、豆類等のように光が透過しない試料皿上の穀類粒をも観察でき、その良否を判定することができるように構成したことを特徴とするとともに、
前記下部照明手段による下部照明光、前記上部照明手段による上部照明光を、いずれか一方のみ又は双方同時に、前記試料皿上の穀類粒に照射可能なように構成し、前記試料皿上の穀類粒からの透過光の観察、籾類、豆類等からの反射光の観察、更には、前記試料皿上の穀類粒からの透過光及び反射光双方の観察を実行でき、特に米粒等に対する観察能力を向上することができるように構成したことを特徴とする穀類粒観察装置。
【請求項２】
穀類粒を載置する透明底板を備えた試料皿と、
この試料皿を載置する透明窓部を上部に備え、内部が、正面側に向かって斜めに傾斜配置したシート材により上下分割状態に仕切られていて、前記透明窓部とシート材の間で、且つ、正面側の位置に下部照明手段である蛍光灯を配置した装置本体と、
この装置本体内に配置され、前記透明窓部、前記試料皿の透明底板を介して前記穀類粒に対し透過用の下部照明光を照射する下部照明手段と、
前記装置本体における透明窓部上の試料皿を表出又は包覆可能で、且つ、装置本体を開閉可能に施蓋するとともに、内部に前記試料皿上の穀類粒に対して反射用の上部照明光を照射する上部照明手段を備えた蓋体と、
前記蓋体内において、この蓋体の開蓋状態で前記試料皿上の穀類粒の上方に展開可能に配置した拡大光学手段と、
を具備し、前記下部照明手段を使用しての試料皿上の穀類粒からの透過光の観察と、前記上部照明手段を使用しての試料皿上の穀類粒からの透過光の観察との双方を実行でき、米粒は勿論、籾類、豆類等のように光が透過しない試料皿上の穀類粒をも観察でき、その良否を判定することができるように構成し、且つ、前記試料皿上の穀類粒からの透過光の観察、籾類、豆類等からの反射光の観察を、拡大光学手段を使用して一層精密に実行することができるように構成したことを特徴とするとともに、
前記下部照明手段による下部照明光、前記上部照明手段による上部照明光を、いずれか一方のみ又は双方同時に、前記試料皿上の穀類粒に照射可能なように構成し、前記試料皿上の穀類粒からの透過光の観察、籾類、豆類等からの反射光の観察、更には、前記試料皿上の穀類粒からの透過光及び反射光双方の観察を実行でき、特に米粒等に対する観察能力を向上することができるように構成したことを特徴とする穀類粒観察装置。
【発明の詳細な説明】
【０００１】
【発明の属する技術分野】
本発明は、穀類粒観察装置に関し、特に米粒等の穀類粒に光を透光して穀類粒内に見られる暗影から胴割れ等を検出可能とした穀類粒観察装置に関する。
【０００２】
【従来の技術】
米粒等の穀類粒の胴割れは、穀類の品質を低下する要因であり、胴割れした穀類粒を発見し、排除することが要請される。
このため、従来においても多数の透孔部に穀類粒を配置して光を透過させ、穀類粒内の暗影の有無を検査して胴割れした穀類粒を発見する方法が採用されている。
【０００３】
【発明が解決しようとする課題】
しかしながら、上述した従来例の場合には、穀類粒の透過光を観察するものであるために、例えば、籾類、豆類等のように光が透過しない穀類粒の状態を観察することはできなかった。
そこで、本発明は、玄米や精米等の米粒を観察できることは勿論、籾類、豆類等のように光が透過しない穀類粒をも観察可能でその良否を判定でき、屋外でも簡単に使用できる穀類粒観察装置を提供することを目的とするものである。
【０００４】
【課題を解決するための手段】
請求項１記載の発明に係る穀類粒観察装置は、穀類粒を載置する透明底板を備えた試料皿と、この試料皿を載置する透明窓部を上部に備えた装置本体と、この装置本体内に配置され、前記透明窓部、前記試料皿の透明底板を介して前記穀類粒に対し透過用の下部照明光を照射する下部照明手段と、前記装置本体における透明窓部上の試料皿を表出又は包覆可能で、且つ、装置本体を開閉可能に施蓋するとともに、内部に前記試料皿上の穀類粒に対して反射用の上部照明光を照射する上部照明手段を備えた蓋体とを有することを特徴とするものである。
この発明によれば、試料皿上の穀類粒に対し、透過用の下部照明光を照射する下部照明手段とともに、前記穀類粒に対し反射用の上部照明光を照射する上部照明手段を備えているので、下部照明手段を使用しての例えば米粒等からの透過光の観察と、上部照明手段を使用しての米粒等からの透過光の観察との双方を実行でき、米粒は勿論、籾類、豆類等のように光が透過しない穀類粒をも観察しその良否を判定することが可能となり、また、前記下部照明手段による下部照明光、上部照明手段による下部照明光を、いずれか一方のみ又は双方同時に前記試料皿上の穀類粒に照射して、例えば米粒等からの透過光の観察、籾類、豆類等からの反射光の観察、更には、米粒等からの透過光及び反射光双方の観察を実行でき、特に米粒等に対する観察能力を向上することができる。
請求項２記載の発明に係る穀類粒観察装置は、穀類粒を載置する透明底板を備えた試料皿と、この試料皿を載置する透明窓部を上部に備えた装置本体と、この装置本体内に配置され、前記透明窓部、前記試料皿の透明底板を介して前記穀類粒に対し透過用の下部照明光を照射する下部照明手段と、前記装置本体における透明窓部上の試料皿を表出又は包覆可能で、且つ、装置本体を開閉可能に施蓋するとともに、内部に前記試料皿上の穀類粒に対して反射用の上部照明光を照射する上部照明手段を備えた蓋体と、前記蓋体内において、この蓋体の開蓋状態で前記試料皿上の穀類粒の上方に展開可能に配置した拡大光学手段とを有することを特徴とするものである。
この発明によれば、請求項１記載の穀類粒観察装置の構成に加えて、前記拡大光学手段を備えているので、例えば米粒等からの透過光の観察、籾類、豆類等からの反射光の観察を、拡大光学手段を使用して一層精密に実行することができ、また、前記下部照明手段による下部照明光、上部照明手段による下部照明光を、いずれか一方のみ又は双方同時に前記試料皿上の穀類粒に照射して、例えば米粒等からの透過光の観察、籾類、豆類等からの反射光の観察、更には、米粒等からの透過光及び反射光双方の観察を実行でき、特に米粒等に対する観察能力を向上することができる。
【０００５】
【発明の実施の形態】
以下に本発明の実施の形態を説明する。
図１は、本発明の実施の形態に係る穀類粒観察装置の側面透視図、図２は本発明の実施の形態の穀類粒観察装置の正面図である。
本実施の形態に係る穀類粒観察装置は、略直方体状で内部が空洞の装置本体１と、この装置本体１上において、装置本体１の上面領域を、支持軸部３を支軸として開閉する蓋体２とを有している。
【０００６】
装置本体１の上面には、透明材料からなる透明窓部４が水平状配置に設けられ、蓋体２の底面と接合するようになっている。また、装置本体１の内部は、図１に示すように、前記支持軸部３側から装置本体１の正面側に向かって斜めに傾斜する配置のシート材５により上下分割状態に仕切られている。そして、前記透明窓部４とシート材５の間で、且つ、装置本体１の正面側に片寄った位置に下部照明手段である蛍光灯６を配置している。前記シート材５は透明フィルムにより形成され、裏面に青色シルク印刷が施されており、青色背景を与え得るようにして穀類粒の胴割れ等の観察に際して、図４に示すような観察者の観察眼Ｅの疲労を軽減するようになっている。
また、図１に示す装置本体１の内部における左右両隅部には、前記蛍光灯６に点灯用の電力を供給する下部照明用の電池７、８が配置されている。
前記透明窓部４上には、図４に示すように、例えば２００粒程度の穀類粒が載置可能であり、且つ、底板２０ａを透明材料で形成した試料皿２０を載置するようになっている。
【０００７】
前記蓋体２は、蓋本体１１と、この蓋本体１１上に密接配置した上部照明筐体１２とを具備している。
前記蓋本体１１の底面側は前記試料皿２０の外周よりも大きい寸法をもって開口されていて、蓋体２により装置本体１を施蓋した時には、前記透明窓部４上の試料皿２０は完全に蓋本体１１の内部に没入するようになっている。従って、この蓋体２は、蓋体２を装置本体１から開閉することにより、前記装置本体１における透明窓部４上の試料皿２０を表出又は包覆可能なようになっている。
また、前記蓋本体１１における装置本体１の正面側には取手部１３が設けられている。
更に、前記蓋本体１１の内部には、ヒンジ１４により一端を図４に示す矢印方向に回動可能に支持されたレンズ支持体１５と、このレンズ支持体１５により保持された拡大レンズ１６とが配置され、この拡大レンズ１６を、図１、図４に示すように、前記試料皿２０の上方位置に臨ませることが可能となっている。
【０００８】
拡大レンズ１６を保持するレンズ支持体１５は、レンズ支持体１５の両側縁の基端部付近に設けられた耳部４１と蓋体２の先端内側に設けられたバネ取り付け耳部（図示せず）との間に設けたバネ４２により、図５に示すように上昇した位置に保持できるようになっている。この上昇した位置で、拡大レンズ１６を、前記試料皿２０の上方位置に臨ませることが可能となっている。レンズ支持体１５を押し込むと、バネ４２のオーバーセンター作用でレンズ支持体１５が蓋体２の裏面に近接する休止位置に保持される。
【０００９】
図５に示すように、蓋体２とガイド板４３との間には、左右対称位置に、折り畳み可能な遮光幕４４、４４が配置されている。この遮光幕４４は、蓋体２を閉じた際に折り畳まれ、蓋体２を開いた際にガイド板４３のＵ字状の切欠き部４３ａの両側に立ち上がり、外光が透明窓部４或いは該透明窓部４上に載置された試料皿２０の部分へ入るのを遮光している。
前記蓋本体１１の上面部には開口部１１ａが形成され、この開口部１１ａに前記上部照明筐体１２の底面側を画する白アクリル板からなる拡散板１７を臨ませている。また、上部照明筐体１２の内部には、装置本体１の正面側に位置して上部照明手段である上部蛍光灯１８を配置するとともに、その反対側には、図３にも示すように、上部蛍光灯１８に点灯用の電力を供給する上部照明用の電池１９ａ、１９ｂを配置している。
なお、図示していないが、前記蛍光灯６、上部蛍光灯１８を各々点灯操作するための電源スイッチが前記装置本体１に設けられている。
【００１０】
次に、上述した本実施の形態の穀類粒観察装置の作用を図４をも参照して説明する。
まず、蓋体２を支持軸部３を支軸として図４に示す矢印ａ方向に回動させ、装置本体１の側方に開蓋する。更に、前記レンズ支持体１５により保持された拡大レンズ１６を、ヒンジ１４を支点として回動させ、前記透明窓部４の上方位置に臨ませる。
この状態で、穀類粒の一種である例えば米粒３０を試料皿２０に載せ、図４に示すように、前記透明窓部４上に載置する。
次に、装置本体１に設けた電源スイッチを操作し、例えば、前記蛍光灯６を点灯して下部照明光を前記透明窓部４、試料皿２０を経て米粒３０に斜め下方向から照射する。
この下部照明光は、米粒３０内を透過し前記拡大レンズ１６に至り、これにより、拡大レンズ１６を介して観察眼Ｅに米粒３０を透過した光が観察される。この場合に、例えば米粒３０に割れがあると暗影が生じるので、この暗影の程度により米粒３０の胴割れの程度を判定することが可能となる。前記拡大レンズ１６を使用しないで米粒３０内を透過した光を直接に観察眼Ｅにより観察して米粒３０の胴割れの程度を判定することも勿論可能である。
また、装置本体１に設けた電源スイッチを操作し、例えば、前記上部照明用の上部蛍光灯１８だけを点灯して、前記拡散板１７を介して拡散光を試料皿２０上の例えば米粒３０に上方或いは斜め上方から照射し、米粒３０からの反射光を前記拡大レンズ１６を使用して又は拡大レンズ１６を使用しないで直接観察し、米粒３０の胴割れの程度等を判定することも勿論可能である。
更に、上述した蛍光灯６、上部蛍光灯１８の双方を点灯し、下部と、上方或いは斜め上方とからの双方の照明光を併用して、試料皿２０上の米粒３０からの透過光、反射光を観察することによって米粒３０の胴割れの程度等を判定することも勿論可能である。
このような本実施の形態に係る穀類粒観察装置によれば、玄米や精米等の米粒を観察できることは勿論、籾類、豆類等のように光が透過しない穀類粒の観察可能であり、しかも、このような本装置は、屋外でも簡単に使用することができる。
以上、例えば米粒の胴割れを検出する実施の形態装置を例に挙げて説明したが、本発明は、更に未熟米、被害米、砕米等の検出、或いは混入した異物や害虫の発見にも使用し得る。
更にまた、本実施の形態に係る穀類粒観察装置によれば、玄米や精米等の米粒に限らず、籾類、豆類等の透過光の検出が困難な穀類粒全般に対する観察が可能であることは上述した通りである。
この他、本発明に係る観察装置は、穀類粒の他に、例えばマイクロマシン等に使用する精密部品、半導体部品等の良否判別、精密機器の組み立て等にも幅広く適用可能である。
【００１１】
【発明の効果】
以上説明した本発明によれば、以下の効果を奏する。
請求項１記載の発明によれば、玄米や精米等の米粒は勿論、籾類、豆類等の様に光が透過しない穀類粒をも観察しその良否を判定することが可能で、しかも、前記下部照明手段による下部照明光、上部照明手段による下部照明光を、いずれか一方のみ又は双方同時に前記試料皿上の穀類粒に照射して、例えば米粒等からの透過光の観察、籾類、豆類等からの反射光の観察、更には、米粒等からの透過光及び反射光双方の観察を実行でき、特に米粒等に対する観察能力を向上できる穀類粒観察装置を提供することができる。
請求項２記載の発明によれば、玄米や精米等の米粒等からの透過光の観察、籾類、豆類等からの反射光の観察を、拡大光学手段を使用して一層精密に実行することができ、しかも、前記下部照明手段による下部照明光、上部照明手段による下部照明光を、いずれか一方のみ又は双方同時に前記試料皿上の穀類粒に照射して、例えば米粒等からの透過光の観察、籾類、豆類等からの反射光の観察、更には、米粒等からの透過光及び反射光双方の観察を実行でき、特に米粒等に対する観察能力を向上できる穀類粒観察装置を提供することができる。
【図面の簡単な説明】
【図１】本発明の実施の形態の穀類粒観察装置の側面透視図である。
【図２】本発明の実施の形態の穀類粒観察装置の正面図である。
【図３】本発明の実施の形態の穀類粒観察装置の蓋本体及び上部照明筐体を下から見た状態を示す図である。
【図４】本発明の実施の形態の穀類粒観察装置の動作説明図である。
【図５】本発明の実施の形態の穀類粒観察装置の使用状態を示す説明図である。
【符号の説明】
１    装置本体
２    蓋体
３    支持軸部
４    透明窓部
５    シート材
６    蛍光灯
７    電池
８    電池
１１    蓋本体
１１ａ  開口部
１２    上部照明筐体
１３    取手部
１４    ヒンジ
１５    レンズ支持体
１６    拡大レンズ
１７    拡散板
１８    上部蛍光灯
１９ａ  上部照明用電池
１９ｂ  上部照明用電池
２０    試料皿
２０ａ  試料皿２０の底板
３０    米粒
４１    耳部
４２    バネ
４３    ガイド板
４３ａ  切欠き部
４４    遮光幕
Ｅ    観察者の観察眼
【図１】
0003809982.tif 000002
【図２】
0003809982.tif 000003
【図３】
0003809982.tif 000004
【図４】
0003809982.tif 000005
【図５】
0003809982.tif 000006